(57)【要約】【課題】操作表示装置間の荷重基準の差異に起因するタッチパネルの操作性の低下を抑制できる操作表示システム、操作表示装置および操作表示プログラムを提供する。【解決手段】操作表示システム４００は、荷重基準取得部１４０，１８０，２１０，２４０と、操作種別取得部１４０，１８０，２１０，２４０と、制御部１８０，２４０と、を有する。荷重基準取得部は、上記タッチパネルが操作を受け付ける押圧力の基準となる荷重基準を取得する。操作種別取得部は、上記操作表示装置の画面に表示される各々のオブジェクトについて上記タッチパネルの操作に関する種別を取得する。制御部は、上記複数の操作表示装置のうち、連携状態にある第１および第２の操作表示装置について、荷重基準を比較した比較結果と、取得された上記種別とに応じて、上記第１および第２の操作表示装置の画面表示を制御する。【選択図】図１
2017010281.tif 000002
【特許請求の範囲】
【請求項１】
タッチパネルを備える複数の操作表示装置を有する操作表示システムであって、
前記タッチパネルが操作を受け付ける押圧力の基準となる荷重基準を取得する荷重基準取得部と、
前記操作表示装置の画面に表示される各々のオブジェクトについて前記タッチパネルの操作に関する種別を取得する操作種別取得部と、
前記複数の操作表示装置のうち、連携状態にある第１および第２の操作表示装置について、荷重基準を比較した比較結果と、取得された前記種別とに応じて、前記第１および第２の操作表示装置の画面表示を制御する制御部と、を有する、操作表示システム。
【請求項２】
前記制御部は、
前記比較結果と、前記種別とに応じて、前記第１および第２の操作表示装置のうちのどちらに前記オブジェクトを表示させるかを制御することを特徴とする請求項１に記載の操作表示システム。
【請求項３】
前記制御部は、
前記オブジェクトが、タッチした後当該タッチ箇所を移動させる移動操作が可能であるか否かに応じて、前記第１および第２の操作表示装置のうちのどちらに当該オブジェクトを表示させるかを制御することを特徴とする請求項１または２に記載の操作表示システム。
【請求項４】
前記制御部は、
前記第１および第２の操作表示装置のうち、荷重基準がより低い操作表示装置に、タッチした後当該タッチ箇所を移動させる移動操作が可能なオブジェクトを優先的に表示させるように制御することを特徴とする請求項１〜３のいずれか１項に記載の操作表示システム。
【請求項５】
前記制御部は、
前記第１の操作表示装置の荷重基準と前記第２の操作表示装置の荷重基準とが異なる場合、
前記第１の操作表示装置と前記第２の操作表示装置との間において、表示領域全体を入れ替えることを特徴とする請求項１に記載の操作表示システム。
【請求項６】
前記制御部は、
前記第１の操作表示装置の荷重基準と前記第２の操作表示装置の荷重基準とが異なる場合、
前記第１の操作表示装置と前記第２の操作表示装置との間において、タッチした後当該タッチ箇所を移動させる移動操作が可能なオブジェクトを含む表示領域と前記移動操作が可能なオブジェクトを含まない表示領域とを入れ替えることを特徴とする請求項１に記載の操作表示システム。
【請求項７】
前記制御部は、
前記第１の操作表示装置の荷重基準と前記第２の操作表示装置の荷重基準とが異なる場合、
前記第１の操作表示装置と前記第２の操作表示装置との間において、タッチした後当該タッチ箇所を移動させる移動操作が可能なオブジェクトと前記移動操作が可能ではないオブジェクトとを入れ替えることを特徴とする請求項１〜４のいずれか１項に記載の操作表示システム。
【請求項８】
前記移動操作は、ドラッグ操作、フリック操作、スワイプ操作、ローテーション操作、ピンチイン操作およびピンチアウト操作のうちの少なくともいずれかであることを特徴とする請求項３、４、６、７のいずれか１項に記載の操作表示システム。
【請求項９】
前記制御部は、
前記第１および第２の操作表示装置のいずれかに備えられていることを特徴とする請求項１〜８のいずれか１項に記載の操作表示システム。
【請求項１０】
前記第１の操作表示装置は、静電容量式のタッチパネルを備え、
前記第２の操作表示装置は、抵抗膜式のタッチパネルを備え、
前記静電容量式のタッチパネルは、前記抵抗膜式のタッチパネルと比較して荷重基準が低いことを特徴とする請求項１〜９のいずれか１項に記載の操作表示システム。
【請求項１１】
タッチパネルを備える操作表示装置であって、
前記タッチパネルが操作を受け付ける押圧力の基準となる第１の荷重基準と、前記操作表示装置と連携している他の操作表示装置のタッチパネルが操作を受け付ける押圧力の基準となる第２の荷重基準とを取得する荷重基準取得部と、
前記操作表示装置および前記他の操作表示装置の画面に表示される各々のオブジェクトについてタッチパネルの操作に関する種別を取得する操作種別取得部と、
前記第１の荷重基準と前記第２の荷重基準とを比較した比較結果と、取得された前記種別とに応じて、前記操作表示装置および前記他の操作表示装置の画面表示を制御する制御部と、を有する、操作表示装置。
【請求項１２】
前記制御部は、
前記操作表示装置および前記他の操作表示装置のうち、荷重基準がより低い操作表示装置に、タッチした後当該タッチ箇所を移動させる移動操作が可能なオブジェクトを優先的に表示させるように制御することを特徴とする請求項１１に記載の操作表示装置。
【請求項１３】
前記移動操作は、ドラッグ操作、フリック操作、スワイプ操作、ローテーション操作、ピンチイン操作およびピンチアウト操作のうちの少なくともいずれかであることを特徴とする請求項１２に記載の操作表示装置。
【請求項１４】
タッチパネルを備える複数の操作表示装置を有する操作表示システムを制御する操作表示プログラムであって、
前記タッチパネルが操作を受け付ける押圧力の基準となる荷重基準を取得する手順（ａ）と、
前記操作表示装置の画面に表示される各々のオブジェクトについて前記タッチパネルの操作に関する種別を取得する手順（ｂ）と、
前記複数の操作表示装置のうち、連携状態にある第１および第２の操作表示装置について、荷重基準を比較した比較結果と、取得された前記種別とに応じて、前記第１および第２の操作表示装置の画面表示を制御する手順（ｃ）と、をコンピューターに実行させる、操作表示プログラム。
【請求項１５】
前記手順（ｃ）では、
前記第１および第２の操作表示装置のうち、荷重基準がより低い操作表示装置に、タッチした後当該タッチ箇所を移動させる移動操作が可能なオブジェクトを優先的に表示させるように制御することを特徴とする請求項１４に記載の操作表示プログラム。
【請求項１６】
前記移動操作は、ドラッグ操作、フリック操作、スワイプ操作、ローテーション操作、ピンチイン操作およびピンチアウト操作のうちの少なくともいずれかであることを特徴とする請求項１５に記載の操作表示プログラム。
【請求項１７】
タッチパネルを備える操作表示装置を制御する操作表示プログラムであって、
前記タッチパネルが操作を受け付ける押圧力の基準となる第１の荷重基準と、前記操作表示装置と連携している他の操作表示装置のタッチパネルが操作を受け付ける押圧力の基準となる第２の荷重基準とを取得する手順（ａ）と、
前記操作表示装置および前記他の操作表示装置の画面に表示される各々のオブジェクトについて前記タッチパネルの操作に関する種別を取得する手順（ｂ）と、
前記第１の荷重基準と前記第２の荷重基準とを比較した比較結果と、取得された前記種別とに応じて、前記操作表示装置および前記他の操作表示装置の画面表示を制御する手順（ｃ）と、をコンピューターに実行させる、操作表示プログラム。
【請求項１８】
前記手順（ｃ）では、
前記操作表示装置および前記他の操作表示装置のうち、荷重基準がより低い操作表示装置に、タッチした後当該タッチ箇所を移動させる移動操作が可能なオブジェクトを優先的に表示させるように制御することを特徴とする請求項１７に記載の操作表示プログラム。
【請求項１９】
前記移動操作は、ドラッグ操作、フリック操作、スワイプ操作、ローテーション操作、ピンチイン操作およびピンチアウト操作のうちの少なくともいずれかであることを特徴とする請求項１８に記載の操作表示プログラム。
【発明の詳細な説明】
【技術分野】
【０００１】
本発明は、操作表示システム、操作表示装置および操作表示プログラムに関する。
【背景技術】
【０００２】
近年、タッチパネルを備える電子機器、たとえばスマートフォンなどの携帯電話端末やＭＦＰ（Ｍｕｌｔｉｆｕｎｃｔｉｏｎ  Ｐｅｒｉｐｈｅｒａｌ）が一般に普及している。タッチパネルは、通常、液晶ディスプレイなどの表示装置とタッチパッドなどの入力装置が一体化されて構成されている。たとえば、ユーザーがタッチパネルに情報を入力する場合、ユーザーは、タッチパネルの画面に表示されたアイコンやボタンなどの画像オブジェクトを、指やタッチペンを使用して触れることにより、上記アイコンやボタンなどを選択して情報を入力することができる。さらに、単に画面を指で触れるだけではなく、たとえば、画面に指で触れた状態で軽く弾く動作（フリック）や画面に指で触れた状態で滑らせる動作（スワイプ）などの動作を通じて、多様な入力操作を受け付けることができるタッチパネルも開発されてきている。
【０００３】
一方、電子機器の高機能化に伴い、タッチパネルに表示される情報の増大および多様化も進んできており、１つのタッチパネルだけでは、画面の大きさが限られ、必要な情報を一度にすべて表示できない場合が生じうる。このような場合、画面を縦または横方向にスクロールすることにより、見えない部分を見ることができるが、一度に見える画面の大きさは限られているので、逆に、これまで見えていた部分が見えなくなってしまい不便を感じることがある。
【０００４】
これに対して、タッチパネルを備える複数の電子機器を連携させて、複数のタッチパネルによって１つの大きな画面を構成し、互いに関連する画像オブジェクトを複数のタッチパネルにわたって表示する技術（以下、「連携表示」と書く）が知られている。このような技術を使用すれば、複数のタッチパネルを使用して、より大きな画面に画像オブジェクトが表示されうる。また、連携表示している複数のタッチパネルにおいて、ユーザーは、１つのタッチパネルを操作するときと同様に、複数のタッチパネル間で操作をすることが可能となる（以下、「連携操作」と書く）。
【０００５】
ところが、現在市販されている電子機器のタッチパネルには、動作原理によりいくつかの方式が存在し、当該方式によってタッチパネルが操作を受け付ける押圧力の基準（以下、「荷重基準」と書く）が異なる場合がある。たとえば、タッチパネルの主要な方式として、抵抗膜式および静電容量式があり、抵抗膜式のタッチパネルは、静電容量式のタッチパネルと比べて荷重基準が高く、入力するには静電容量式のタッチパネルよりも強く押圧する必要がある。したがって、たとえばフリック操作やスワイプ操作をする場合において、ユーザーは、荷重基準が低いタッチパネルについては小さな押圧力で操作できるため操作しやすいと感じる一方で、荷重基準が高いタッチパネルについては操作しにくいと感じる可能性がある。
【０００６】
これに関連して、タッチパネルの操作性を改善するための技術として、たとえば下記特許文献１の技術が知られている。特許文献１には、隣接する画像オブジェクトに対して荷重基準を相違させることにより、タッチパネルの誤操作を抑制することを目的とした技術が開示されている。このような技術を使用すれば、タッチパネル個々の操作性を改善させることが期待できる。
【０００７】
しかしながら、特許文献１のような技術を使用して個々のタッチパネルの操作性が改善したとしても、複数の電子機器を連携させる場合において、各々のタッチパネルの操作性が相違しているとユーザーが操作しにくい。たとえば、荷重基準の異なるタッチパネルを備える複数の電子機器を連携させる場合では、荷重基準が高いタッチパネルの電子機器と荷重基準が低いタッチパネルの電子機器との間において操作性が異なる。その結果、ユーザーが意図したようにタッチパネルが動作しないため、ユーザーが負担に感じるおそれがある。
【０００８】
たとえば、荷重基準が異なる２つの操作表示装置において、荷重基準の低いタッチパネルでフリック操作を行った後、荷重基準の高いタッチパネルでフリック操作を行う場合、ユーザーはタッチパネルの操作性が急に低下したと感じる可能性がある。
【先行技術文献】
【特許文献】
【０００９】
【特許文献１】特開２０１１−１５０７３７号公報
【発明の概要】
【発明が解決しようとする課題】
【００１０】
本発明は、上記問題に鑑みてなされたものである。したがって、本発明の目的は、操作表示装置間の荷重基準の差異に起因するタッチパネルの操作性の低下を抑制できる操作表示システム、操作表示装置および操作表示プログラムを提供することである。
【課題を解決するための手段】
【００１１】
本発明の上記目的は、下記によって達成される。
【００１２】
（１）タッチパネルを備える複数の操作表示装置を有する操作表示システムであって、前記タッチパネルが操作を受け付ける押圧力の基準となる荷重基準を取得する荷重基準取得部と、前記操作表示装置の画面に表示される各々のオブジェクトについて前記タッチパネルの操作に関する種別を取得する操作種別取得部と、前記複数の操作表示装置のうち、連携状態にある第１および第２の操作表示装置について、荷重基準を比較した比較結果と、取得された前記種別とに応じて、前記第１および第２の操作表示装置の画面表示を制御する制御部と、を有する、操作表示システム。
【００１３】
（２）前記制御部は、前記比較結果と、前記種別とに応じて、前記第１および第２の操作表示装置のうちのどちらに前記オブジェクトを表示させるかを制御することを特徴とする上記（１）に記載の操作表示システム。
【００１４】
（３）前記制御部は、前記オブジェクトが、タッチした後当該タッチ箇所を移動させる移動操作が可能であるか否かに応じて、前記第１および第２の操作表示装置のうちのどちらに当該オブジェクトを表示させるかを制御することを特徴とする上記（１）または（２）に記載の操作表示システム。
【００１５】
（４）前記制御部は、前記第１および第２の操作表示装置のうち、荷重基準がより低い操作表示装置に、タッチした後当該タッチ箇所を移動させる移動操作が可能なオブジェクトを優先的に表示させるように制御することを特徴とする上記（１）〜（３）のいずれか１つに記載の操作表示システム。
【００１６】
（５）前記制御部は、前記第１の操作表示装置の荷重基準と前記第２の操作表示装置の荷重基準とが異なる場合、前記第１の操作表示装置と前記第２の操作表示装置との間において、表示領域全体を入れ替えることを特徴とする上記（１）に記載の操作表示システム。
【００１７】
（６）前記制御部は、前記第１の操作表示装置の荷重基準と前記第２の操作表示装置の荷重基準とが異なる場合、前記第１の操作表示装置と前記第２の操作表示装置との間において、タッチした後当該タッチ箇所を移動させる移動操作が可能なオブジェクトを含む表示領域と前記移動操作が可能なオブジェクトを含まない表示領域とを入れ替えることを特徴とする上記（１）に記載の操作表示システム。
【００１８】
（７）前記制御部は、前記第１の操作表示装置の荷重基準と前記第２の操作表示装置の荷重基準とが異なる場合、前記第１の操作表示装置と前記第２の操作表示装置との間において、タッチした後当該タッチ箇所を移動させる移動操作が可能なオブジェクトと前記移動操作が可能ではないオブジェクトとを入れ替えることを特徴とする上記（１）〜（４）のいずれか１つに記載の操作表示システム。
【００１９】
（８）前記移動操作は、ドラッグ操作、フリック操作、スワイプ操作、ローテーション操作、ピンチイン操作およびピンチアウト操作のうちの少なくともいずれかであることを特徴とする上記（３）、（４）、（６）、（７）のいずれか１つに記載の操作表示システム。
【００２０】
（９）前記制御部は、前記第１および第２の操作表示装置のいずれかに備えられていることを特徴とする上記（１）〜（８）のいずれか１つに記載の操作表示システム。
【００２１】
（１０）前記第１の操作表示装置は、静電容量式のタッチパネルを備え、前記第２の操作表示装置は、抵抗膜式のタッチパネルを備え、前記静電容量式のタッチパネルは、前記抵抗膜式のタッチパネルと比較して荷重基準が低いことを特徴とする上記（１）〜（９）のいずれか１つに記載の操作表示システム。
【００２２】
（１１）タッチパネルを備える操作表示装置であって、前記タッチパネルが操作を受け付ける押圧力の基準となる第１の荷重基準と、前記操作表示装置と連携している他の操作表示装置のタッチパネルが操作を受け付ける押圧力の基準となる第２の荷重基準とを取得する荷重基準取得部と、前記操作表示装置および前記他の操作表示装置の画面に表示される各々のオブジェクトについてタッチパネルの操作に関する種別を取得する操作種別取得部と、前記第１の荷重基準と前記第２の荷重基準とを比較した比較結果と、取得された前記種別とに応じて、前記操作表示装置および前記他の操作表示装置の画面表示を制御する制御部と、を有する、操作表示装置。
【００２３】
（１２）前記制御部は、前記操作表示装置および前記他の操作表示装置のうち、荷重基準がより低い操作表示装置に、タッチした後当該タッチ箇所を移動させる移動操作が可能なオブジェクトを優先的に表示させるように制御することを特徴とする上記（１１）に記載の操作表示装置。
【００２４】
（１３）前記移動操作は、ドラッグ操作、フリック操作、スワイプ操作、ローテーション操作、ピンチイン操作およびピンチアウト操作のうちの少なくともいずれかであることを特徴とする上記（１２）に記載の操作表示装置。
【００２５】
（１４）タッチパネルを備える複数の操作表示装置を有する操作表示システムを制御する操作表示プログラムであって、前記タッチパネルが操作を受け付ける押圧力の基準となる荷重基準を取得する手順（ａ）と、前記操作表示装置の画面に表示される各々のオブジェクトについて前記タッチパネルの操作に関する種別を取得する手順（ｂ）と、前記複数の操作表示装置のうち、連携状態にある第１および第２の操作表示装置について、荷重基準を比較した比較結果と、取得された前記種別とに応じて、前記第１および第２の操作表示装置の画面表示を制御する手順（ｃ）と、をコンピューターに実行させる、操作表示プログラム。
【００２６】
（１５）前記手順（ｃ）では、前記第１および第２の操作表示装置のうち、荷重基準がより低い操作表示装置に、タッチした後当該タッチ箇所を移動させる移動が操作可能なオブジェクトを優先的に表示させるように制御することを特徴とする上記（１４）に記載の操作表示プログラム。
【００２７】
（１６）前記移動操作は、ドラッグ操作、フリック操作、スワイプ操作、ローテーション操作、ピンチイン操作およびピンチアウト操作のうちの少なくともいずれかであることを特徴とする上記（１５）に記載の操作表示プログラム。
【００２８】
（１７）タッチパネルを備える操作表示装置を制御する操作表示プログラムであって、前記タッチパネルが操作を受け付ける押圧力の基準となる第１の荷重基準と、前記操作表示装置と連携している他の操作表示装置のタッチパネルが操作を受け付ける押圧力の基準となる第２の荷重基準とを取得する手順（ａ）と、前記操作表示装置および前記他の操作表示装置の画面に表示される各々のオブジェクトについて前記タッチパネルの操作に関する種別を取得する手順（ｂ）と、前記第１の荷重基準と前記第２の荷重基準とを比較した比較結果と、取得された前記種別とに応じて、前記操作表示装置および前記他の操作表示装置の画面表示を制御する手順（ｃ）と、をコンピューターに実行させる、操作表示プログラム。
【００２９】
（１８）前記手順（ｃ）では、前記操作表示装置および前記他の操作表示装置のうち、荷重基準がより低い操作表示装置に、タッチした後当該タッチ箇所を移動させる移動操作が可能なオブジェクトを優先的に表示させるように制御することを特徴とする上記（１７）に記載の操作表示プログラム。
【００３０】
（１９）前記移動操作は、ドラッグ操作、フリック操作、スワイプ操作、ローテーション操作、ピンチイン操作およびピンチアウト操作のうちの少なくともいずれかであることを特徴とする上記（１８）に記載の操作表示プログラム。
【発明の効果】
【００３１】
上記（１）、（１１）、（１４）または（１７）に記載の発明によれば、連携状態にある第１および第２の操作表示装置について、荷重基準の比較結果と、表示されているオブジェクトの操作種別とに応じて画面表示を制御するので、荷重基準の差異に起因するタッチパネルの操作性の低下を抑制できる。
【００３２】
上記（２）に記載の発明によれば、各々のオブジェクトについてタッチパネルの操作がしやすいか、あるいは、しにくいかに応じて、第１および第２の操作表示装置のうちの適切な操作表示装置に上記各々のオブジェクトを表示させることができる。
【００３３】
上記（３）に記載の発明によれば、オブジェクトが移動操作可能であるか否かに応じて、第１および第２の操作表示装置のうちの適切な操作表示装置に上記オブジェクトを表示させることができる。
【００３４】
上記（４）、（１２）、（１５）または（１８）に記載の発明によれば、移動操作可能ではないオブジェクトを荷重基準の高い操作表示装置に表示させ、移動操作可能なオブジェクトを荷重基準の低い操作表示装置に表示させることができる。
【００３５】
上記（６）に記載の発明によれば、表示領域が移動操作可能なオブジェクトを含むか否かに応じて、第１および第２の操作表示装置のうちの適切な操作表示装置に上記表示領域を表示させることができる。
【００３６】
上記（７）に記載の発明によれば、オブジェクトが移動操作可能であるか否かに応じて、第１および第２の操作表示装置のうちの適切な操作表示装置に上記オブジェクトを表示させることができる。
【００３７】
上記（８）、（１３）、（１６）または（１９）に記載の発明によれば、ドラッグ操作、フリック操作、スワイプ操作、ピンチイン操作、およびピンチアウト操作のうち少なくともいずれかが可能なオブジェクトと、フリック操作、スワイプ操作、ピンチイン操作、およびピンチアウト操作のいずれも可能ではないオブジェクトとを、入れ替えて表示することが可能となる。
【００３８】
また、ドラッグ操作、フリック操作、スワイプ操作、ローテーション操作、ピンチイン操作、およびピンチアウト操作のうち少なくともいずれかが可能なオブジェクトを含む表示領域と、ドラッグ操作、フリック操作、スワイプ操作、ローテーション操作、ピンチイン操作、およびピンチアウト操作の少なくともいずれかが可能なオブジェクトを含まない表示領域とを、入れ替えて表示することが可能となる。
【図面の簡単な説明】
【００３９】
【図１】本発明の一実施形態の操作表示システムの構成を説明するための概略図である。
【図２】図１に示す画像形成装置の概略構成を説明するための側面図である。
【図３】図１に示す画像形成装置の概略構成を説明するためのブロック図である。
【図４】図１に示す携帯端末の概略構成を説明するためのブロック図である。
【図５】本発明の一実施形態の操作表示システムにおける操作表示装置の連携について説明するための模式図である。
【図６Ａ】本発明の一実施形態における操作表示方法のＭＦＰ側の処理手順の一例を説明するためのフローチャートである。
【図６Ｂ】図６Ａの連携状態を確立する処理（ステップＳ１０１）を説明するためのサブルーチンフローチャートである。
【図６Ｃ】図６Ａの荷重基準を取得する処理（ステップＳ１０２）を説明するためのサブルーチンフローチャートである。
【図６Ｄ】図６Ａの画面表示を制御する処理（ステップＳ１０６）を説明するためのサブルーチンフローチャートである。
【図７】一実施形態における操作表示方法の携帯端末側の処理手順の一例を説明するためのフローチャートである。
【図８】ＭＦＰと携帯端末との間において、表示領域全体を入れ替える場合について例示する模式図である。
【図９】ＭＦＰと携帯端末との間において、表示領域の一部を入れ替える場合について例示する模式図である。
【図１０】ＭＦＰと携帯端末との間において、オブジェクトを入れ替える場合について例示する模式図である。
【発明を実施するための形態】
【００４０】
以下、添付した図面を参照して本発明の操作表示システム、操作表示装置および操作表示プログラムの実施形態を説明する。なお、図中、同一の部材には同一の符号を用いた。
【００４１】
（一実施形態）
＜操作表示システムの構成＞
図１は、一実施形態の操作表示システムの構成を説明するための概略図である。また、図２および図３は、それぞれ、図１に示す画像形成装置の概略構成を説明するための側面図およびブロック図である。
【００４２】
図１に示すように、操作表示システム４００は、画像形成装置１００、携帯端末装置２００Ａ，２００Ｂ，２００Ｃ、およびサーバー３００を有する。これらの構成要素は、アクセスポイントに対して接続されており、ネットワークＮを通じて相互に通信可能に構成されている。なお、アクセスポイントおよびネットワークを使用せずに、上記構成要素同士が直接的に接続されていてもよい。また、上記構成要素は、無線よって互いに接続されていてもよいし、有線よって互いに接続されていてもよい。
【００４３】
本実施形態の画像形成装置１００は、たとえば、ＭＦＰ、プリンター、ファクシミリなどでありうる。以下では、画像形成装置１００がＭＦＰである場合を例示して説明する。また、携帯端末装置２００Ａ，２００Ｂ，２００Ｃは、たとえばスマートフォンなどの携帯電話端末、ＰＤＡ（Ｐｅｒｓｏｎａｌ  Ｄｉｇｉｔａｌ  Ａｓｓｉｓｔａｎｔｓ）などの携帯情報端末でありうる。以下、本明細書では説明の便宜のため、携帯端末装置を「携帯端末」と書く。
【００４４】
なお、図１には、ネットワークＮにＭＦＰが１台、携帯端末が３台、サーバーが１台接続されている場合を例示しているが、ＭＦＰ、携帯端末およびサーバーの台数はこの場合に限定されない。また、上記構成要素のいずれかが省略されたり、他の構成要素が追加されたりすることもある。
【００４５】
また、ネットワークＮは、イーサネット（登録商標）、トークンリング、およびＦＤＤＩ（Ｆｉｂｅｒ−Ｄｉｓｔｒｉｂｕｔｅｄ  Ｄａｔａ  Ｉｎｔｅｒｆａｃｅ）などの規格によりコンピューターやネットワーク機器同士を接続する構内情報通信網（ＬＡＮ：Ｌｏｃａｌ  Ａｒｅａ  Ｎｅｔｗｏｒｋ）や、ＬＡＮ同士を専用線で接続した広域情報通信網（ＷＡＮ：Ｗｉｄｅ  Ａｒｅａ  Ｎｅｔｗｏｒｋ）や、インターネットや、これらの組み合わせなどの各種のネットワークからなる。ネットワークプロトコルは、たとえば、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）である。
【００４６】
＜ＭＦＰの構成＞
図２および図３に示すように、ＭＦＰ１００は、画像読取部１１０、画像処理部１２０、画像形成部１３０、通信部１４０、給紙部１５０、操作表示部１６０、操作部１７０および制御部１８０を有する。これらの構成要素は、内部接続線１９０により接続されている。本実施形態では、ＭＦＰ１００は、操作表示装置として機能する。
【００４７】
画像読取部１１０は、原稿を光学的に読取り、画像データ信号を生成する。画像読取部１１０は、光源、光学系、イメージセンサー、およびアナログ・ディジタル変換回路を有する。画像読取部１１０において、光源は、（Ｒ，Ｇ，Ｂ）各色の光を原稿に順次照射する。光学系は、複数のミラーおよび結像レンズを有しており、原稿からの反射光は光学系のミラーおよび結像レンズを通じてイメージセンサーに結像される。イメージセンサーは、（Ｒ，Ｇ，Ｂ）各色に対応する反射光をラインごとに読取り、原稿からの反射光強度に応じて電気信号を生成する。生成された電気信号は、アナログ・ディジタル変換回路において、アナログ信号からディジタル信号に変換され、画像データ信号として、画像処理部１２０に送信される。
【００４８】
画像処理部１２０は、上記画像データ信号に各種の画像処理を施し、印刷画像データを生成する。当該画像処理としては、たとえば、シェーディング補正、γ補正、ライン間補正、色ずれ補正、拡大・縮小処理、色変換処理などが挙げられる。
【００４９】
画像形成部１３０は、印刷画像データに基づいて、電子写真プロセスにより画像を形成し、形成された画像を記録媒体としての用紙に定着する。より具体的には、画像形成部１３０は、帯電器により感光体を帯電させ、印刷画像データに基づいて、レーザー、ＬＥＤ（Ｌｉｇｈｔ  Ｅｍｉｔｔｉｎｇ  Ｄｉｏｄｅ）などの発光素子を使用して上記感光体に光を当てて静電潜像を形成する。印刷画像データは、画像処理部１２０で生成されるか、あるいは通信部１４０で受信された印刷ジョブをラスタライズして生成される。そして、画像形成部１３０は、上記感光体上の静電潜像にトナーを付着させたのち用紙に転写する。用紙は、給紙部１５０によって給紙され、用紙搬送部によって画像形成部１３０に搬送される。転写された用紙は、搬送ベルトで定着器に搬送され、用紙に転写されたトナーを加熱および加圧することにより溶着する。トナーが溶着されて画像が形成された用紙は、排紙トレイから外部に排出される。
【００５０】
通信部１４０は、ネットワークを介して、たとえば携帯端末２００Ａ，２００Ｂ，２００Ｃ、サーバー３００などの他の装置と通信するためのインターフェースである。通信には、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、イーサネット（登録商標）、Ｗｉ−Ｆｉ、ＦＤＤＩ、トークンリングなどの規格が用いられる。また、通信部１４０は、たとえばＢｌｕｅｔｏｏｔｈ（登録商標）などによる近距離無線通信機能を備え、携帯端末２００Ａ，２００Ｂ，２００Ｃと画像データなどの送受信を実行可能である。通信部１４０は、制御部１８０とともに荷重基準取得部および操作種別取得部として機能する。
【００５１】
給紙部１５０は、少なくとも１つの給紙トレイを備え、画像形成部１３０に用紙を一枚ずつ供給する。
【００５２】
操作表示部１６０は、ユーザーからの各種入力を受け付けるとともに、各種設定、処理結果、警告、メッセージなどの情報を表示する。操作表示部１６０は、タッチパッドおよび表示装置を含むタッチパネルを備え、入力の受付と情報の表示とを並行して処理できる構造を有する。タッチパネルは、抵抗膜式、静電容量式、表面弾性波式、赤外線式、電磁誘導式、および荷重検出式などのいずれかの方式を採用しうる。以下では、操作表示部１６０が抵抗膜式のタッチパネルを備える場合を例示して説明する。また、表示装置は、タッチパッドの背面に配置され、液晶ディスプレイ、有機発光ディスプレイなどを備えうる。
【００５３】
ユーザーは、操作表示部１６０に情報を入力する場合、操作表示部１６０の画面に表示されたオブジェクトを、指やタッチペンを使用して触れることにより、上記オブジェクトを選択して情報を入力できる。なお、本明細書では、タッチパネルによって入力として受け付けられる押圧力でユーザーがタッチパネルに触れることを「タッチする」と称する。また、オブジェクトは、たとえばアイコン、ボタン、画像、アイコンやボタンの背景に描かれる背景画像を含みうる。また、本明細書では、入力操作を受け付けることができるオブジェクトを「操作オブジェクト」と書く。
【００５４】
また、ユーザーは、画面を単に指でタッチして情報を入力する操作だけではなく、画面に指でタッチした状態で移動させるなど、多様な指の動作（ジェスチャー）を使用して操作表示部１６０に情報を入力することができる。本実施形態の操作表示部１６０は、入力操作として、とくに限定されないが、たとえば、タッチ（押下）操作、タップ操作、ダブルタップ操作、トリプルタップ操作、ロングタップ操作、ドラッグ操作、フリック操作、スワイプ操作、ピンチイン操作、ピンチアウト操作、ローテーション操作などの操作を受け付けることができる。以下、本明細書では、説明の便宜のため、上記入力操作のうち、タッチ操作、タップ操作、ダブルタップ操作、トリプルタップ操作およびロングタップ操作以外の操作、たとえば、ドラッグ操作、フリック操作、スワイプ操作、ピンチイン操作、ピンチアウト操作、ローテーション操作などの、タッチした後当該タッチ箇所を移動させる操作を「移動操作」と書く。とくに、移動操作のうち、ピンチイン操作、ピンチアウト操作などタッチパネルの複数の箇所を同時にタッチしてタッチした箇所を移動させる操作を「マルチタッチ操作」と書く。移動操作は、概して、タップ操作、ダブルタップ操作、トリプルタップ操作、ロングタップ操作と比較してより複雑な指の動作を伴う入力操作である。
【００５５】
操作部１７０は、たとえば押しボタンスイッチやキーボードを備え、ユーザーからの各種入力を受け付ける。
【００５６】
制御部１８０は、画像読取部１１０、画像処理部１２０、画像形成部１３０、通信部１４０、給紙部１５０、操作表示部１６０および操作部１７０を制御する。
【００５７】
図３に示すように、制御部１８０は、補助記憶装置１８１、メモリー１８２およびＣＰＵ１８３を有する。
【００５８】
補助記憶装置１８１は、たとえばハードディスクドライブ、ソリッドステートドライブなどの大容量の記憶装置である。補助記憶装置１８１には、オペレーティングシステム、操作表示プログラムＰなど各種ソフトウェアプログラムが格納されている。操作表示プログラムＰは、後述するように、本実施形態の操作表示方法を実現するためのソフトウェアプログラムである。操作表示プログラムＰは、予め補助記憶装置１８１にインストールされていてもよいし、あるいは必要に応じてサーバー３００からダウンロードされてもよい。
【００５９】
メモリー１８２は、ＲＡＭ（Ｒａｎｄｏｍ  Ａｃｃｅｓｓ  Ｍｅｍｏｒｙ）、フラッシュＲＯＭ（Ｒｅａｄ  Ｏｎｌｙ  Ｍｅｍｏｒｙ）などのメモリデバイスを備える。上記各種ソフトウェアプログラムは、ＣＰＵ１８３によって実行される際に上記ＲＡＭに一時的に記憶される。また、上記ＲＡＭには、ＣＰＵ１８３による判断結果や演算結果が記憶される。また、上記フラッシュＲＯＭには、操作表示部１６０のタッチパネルの荷重基準、オブジェクトの操作種別、連携状態の判定条件、表示内容の入れ替え単位などの各種設定が保存される。
【００６０】
荷重基準は、タッチパネルが操作を受け付けるか否か決定する押圧力の基準であり、この基準以上の押圧力でタッチパネルが押された場合、入力を受け付ける一方で、この基準よりも小さい押圧力でタッチパネルが押された場合、入力を受け付けない。本実施形態の荷重基準は、異なる方式のタッチパネル間において同じ条件で比較できるように正規化されていることが好ましい。
【００６１】
オブジェクトの操作種別は、操作表示部１６０に表示される各オブジェクトについてのタッチパネルの操作に関する種別である。オブジェクトの操作種別には、たとえばタップ操作、フリック操作などがある。オブジェクトの操作種別にフリック操作が含まれている場合は、当該オブジェクトがフリック操作可能であることを示す。
【００６２】
また、連携状態の判定条件は、操作表示装置が連携状態にあると判定される条件であり、（１）連携表示かつ連携操作、（２）連携表示または連携操作のいずれかを設定できる。
【００６３】
また、表示内容の入れ替え単位は、２つの操作表示装置間で画面の表示内容を入れ替える単位であり、（１）表示領域全体、（２）表示領域の一部、（３）オブジェクトのいずれかを設定できる。
【００６４】
上記荷重基準、オブジェクトの操作種別、連携状態の判定条件、表示内容の入れ替え単位は、管理者メニューを通じて設定されうる。
【００６５】
本実施形態では、制御部１８０は、ＭＦＰ１００と、ＭＦＰ１００と連携している携帯端末とについて、タッチパネルの荷重基準を取得し、両者を比較する。そして、制御部１８０は、荷重基準の比較結果と、ＭＦＰ１００および上記携帯端末に表示されるオブジェクトの操作種別とに応じて、ＭＦＰ１００および上記携帯端末の画面表示を制御する。より具体的には、制御部１８０は、上記比較結果と、上記操作種別とに応じて、ＭＦＰ１００および上記携帯端末のうちのどちらに移動操作可能なオブジェクトを表示させるかを制御する。また、制御部１８０は、ＭＦＰ１００および上記携帯端末のうち、荷重基準がより低い操作表示装置に操作種別が移動操作可能であるオブジェクトを優先的に表示させるように制御する。
【００６６】
＜携帯端末の構成＞
次に、図４を参照して、携帯端末２００Ａ，２００Ｂ，２００Ｃの構成の概略について説明する。図４は、図１に示す携帯端末の概略構成を説明するためのブロック図である。なお、携帯端末２００Ａ，２００Ｂ，２００Ｃの構成は同一であるので、以下では、説明の重複を避けるため、携帯端末２００Ａの構成について説明し、携帯端末２００Ｂ，２００Ｃの構成については説明を省略する。
【００６７】
携帯端末２００Ａは、通信部２１０、操作表示部２２０、操作部２３０および制御部２４０を有する。本実施形態では、携帯端末２００Ａは、操作表示装置として機能する。
【００６８】
通信部２１０は、ネットワークＮを介して、たとえばＭＦＰ１００、サーバー３００などの他の装置と通信するためのインターフェースである。通信には、ＬＴＥ、Ｗ−ＣＤＭＡ、イーサネット（登録商標）、Ｗｉ−Ｆｉ、ＦＤＤＩ、トークンリングなどの規格が用いられる。また、通信部２１０は、たとえばＢｌｕｅｔｏｏｔｈ（登録商標）などによる近距離無線通信機能を備え、ＭＦＰ１００と画像データなどの送受信を実行可能である。通信部２１０は、制御部２４０とともに荷重基準取得部および操作種別取得部として機能する。
【００６９】
操作表示部２２０は、ユーザーからの各種入力を受け付けるとともに、各種設定、処理結果、警告、メッセージなどの情報を表示する。操作表示部２２０は、タッチパッドおよび表示装置を含むタッチパネルを備え、入力の受付と情報の表示とを並行して処理できる構造を有する。タッチパネルは、抵抗膜式、静電容量式、表面弾性波式、赤外線式、電磁誘導式、および荷重検出式などのいずれかの方式を採用しうる。以下では、携帯端末２００Ａが静電容量式のタッチパネルを備える場合を例示して説明する。また、表示装置は、タッチパッドの背面に配置され、液晶ディスプレイ、有機発光ディスプレイなどを備えうる。本実施形態では、操作表示部２２０のタッチパネルの画面の大きさは、操作表示部１６０のタッチパネルの画面の大きさと同じである。
【００７０】
操作部２３０は、たとえば押しボタンスイッチやキーボードを備え、ユーザーからの各種入力を受け付ける。
【００７１】
制御部２４０は、通信部２１０、操作表示部２２０および操作部２３０を制御する。図４に示すように、制御部２２０は、補助記憶装置２４１、メモリー２４２およびＣＰＵ２４３を有する。
【００７２】
補助記憶装置２４１には、オペレーティングシステム、操作表示プログラムＰ’など各種ソフトウェアプログラムが格納されている。操作表示プログラムＰ’は、後述するように、本実施形態の操作表示方法を実現するためのソフトウェアプログラムである。操作表示プログラムＰ’は、他の操作表示装置と連携動作をさせるためのプログラム、荷重基準を取得し他の操作表示装置に送信するプログラムなどを含む。なお、操作表示プログラムＰ’は、予め補助記憶装置２４１にインストールされていてもよいし、あるいは必要に応じてサーバー３００からダウンロードされてもよい。
【００７３】
メモリー２４２については、ＭＦＰ１００のメモリー１８２と同様の構成を有するので、説明の重複を避けるため、詳細な説明を省略する。
【００７４】
＜操作表示装置の連携＞
次に、図５を参照して、本実施形態の操作表示装置の連携について説明する。図５は、一実施形態の操作表示システムにおける操作表示装置の連携について説明するための模式図である。
【００７５】
本実施形態では、ＭＦＰ１００と携帯端末２００Ａとの間の距離が所定距離以内である場合、ＭＦＰ１００および携帯端末２００Ａは連携を開始する。
【００７６】
連携が開始されると、制御部１８０と制御部２４０とが連携し、通信部１４０および通信部２１０を介して表示データや制御信号が交換される。制御部１８０および制御部２４０は、たとえばＭＦＰ１００の右隣に携帯端末２００Ａが置かれた場合、互いに関連するオブジェクトが操作表示部１６０から操作表示部２２０にかけて連続的に表示されるように制御する。図５に示す例では、操作表示部１６０および操作表示部２２０が１つの大きな画面を構成し、メニュー画面の一部である「機能１」〜「機能４」の操作オブジェクト（ボタン）を表示している。
【００７７】
ユーザーが上記メニュー画面をタッチして操作する場合、操作表示部１６０および操作表示部２２０は、連携してユーザーの画面操作を処理する。したがって、ユーザーは、操作表示部１６０および操作表示部２２０を１つの操作表示部として操作することが可能となる。たとえば、ユーザーがスワイプ操作などにより操作表示部１６０の表示内容を右方向にスクロールすると、操作表示部２２０の表示内容もそれに連動して右方向にスクロールされる。このように、操作表示部１６０および操作表示部２２０は、操作表示部１６０および操作表示部２２０の表示内容が画面の操作に応じて連動するように、一体的にオブジェクトを表示する。
【００７８】
なお、操作表示部１６０および操作表示部２２０の２つのタッチパネルに跨って表示されている操作オブジェクト（図５では、「機能３」のボタン）がマルチタッチ操作可能なオブジェクトであれば、ユーザーは当該オブジェクトに対してマルチタッチ操作をすることもできる。
【００７９】
また、図５には、ＭＦＰ１００および携帯端末２００Ａの２台の操作表示装置を連携する場合について例示されているが、本実施形態において連携可能な操作表示装置の台数は２台の場合に限定されない。
【００８０】
また、上記所定距離は、とくに限定されることはないが、たとえば数ｃｍ程度に設定されることが好ましい。しかしながら、ユーザーの利便性を考慮して、上記所定距離を数メートル〜数十メートルに設定することも可能である。
【００８１】
さらに、図５には、ＭＦＰ１００および携帯端末２００Ａの２台の操作表示装置が紙面の横方向に連携する場合について例示されているが、縦方向に連携することもできる。
【００８２】
このように、１つのタッチパネルだけでは、画面の大きさが限られ、一度に表示できないオブジェクトがある場合、複数の操作表示装置を連携させることにより、一度により多くのオブジェクトを表示し、操作することが可能となる。
【００８３】
以上のような構成を有するＭＦＰ１００および携帯端末２００Ａを使用して、本実施形態の操作表示方法の処理手順を実行する具体例を図６Ａ〜図６Ｄ、図７〜図１０を参照して説明する。本実施形態の操作表示方法は、上記操作表示プログラムＰ，Ｐ’がそれぞれＣＰＵ１８３，２４３によって実行されることにより実現される。操作表示プログラムＰ，Ｐ’は、ＭＦＰ１００と携帯端末２００Ａとが協働して本実施形態の操作表示方法を実行するように構成されている。また、操作表示プログラムＰ，Ｐ’は、これら２つのプログラムの関係において、操作表示プログラムＰが主導的な役割を果たしてもよいし、逆に、操作表示プログラムＰ’が主導的な役割を果たしてもよい。以下の説明では、操作表示プログラムＰが主導的な役割を果たす場合について例示する。
【００８４】
＜操作表示方法の概要＞
以下、図６Ａ〜図６Ｄを参照して、本実施形態における操作表示方法の処理手順を説明する。図６Ａは一実施形態における操作表示方法のＭＦＰ側の処理手順の一例を説明するためのフローチャートであり、図６Ｂは、図６Ａの連携状態を確立する処理（ステップＳ１０１）を説明するためのサブルーチンフローチャートである。また、図６Ｃは図６Ａの荷重基準を取得する処理（ステップＳ１０２）を説明するためのサブルーチンフローチャートであり、図６Ｄは図６Ａの画面表示を制御する処理（ステップＳ１０６）を説明するためのサブルーチンフローチャートである。
【００８５】
＜ＭＦＰ側の処理手順＞
図６Ａに示すように、まず、ＭＦＰ１００と携帯端末２００Ａとの間において連携状態を確立する（ステップＳ１０１）。たとえば、ユーザーは、携帯端末２００Ａを操作して、操作表示プログラムＰ’を起動し、ＭＦＰ１００と携帯端末２００Ａとが連携するように、携帯端末２００ＡをＭＦＰ１００の操作表示部１６０の近くに配置する。連携状態を確立する処理の詳細については後述する。
【００８６】
次に、ＭＦＰ１００および携帯端末２００Ａの荷重基準を取得する（ステップＳ１０２）。制御部１８０は、操作表示部１６０のタッチパネルの荷重基準Ｎ１および操作表示部２２０のタッチパネルの荷重基準Ｎ２を取得する。荷重基準を取得する処理の詳細については後述する。
【００８７】
次に、ＭＦＰ１００の荷重基準Ｎ１と携帯端末２００Ａの荷重基準Ｎ２とを比較する（ステップＳ１０３）。制御部１８０は、上記ステップＳ１０２において取得したＭＦＰ１００の荷重基準Ｎ１と携帯端末２００Ａの荷重基準Ｎ２とを比較する。
【００８８】
次に、ＭＦＰ１００の荷重基準Ｎ１と携帯端末２００Ａの荷重基準Ｎ２とが異なるか否かを判断する（ステップＳ１０４）。ＭＦＰ１００の荷重基準Ｎ１と携帯端末２００Ａの荷重基準Ｎ２とが異ならない、すなわち荷重基準Ｎ１と荷重基準Ｎ２とが同じである場合（ステップＳ１０４：ＮＯ）、制御部１８０は、処理を終了する（エンド）。
【００８９】
一方、荷重基準Ｎ１と荷重基準Ｎ２とが異なる場合（ステップＳ１０４：ＹＥＳ）、各オブジェクトの操作種別を取得する（ステップＳ１０５）。制御部１８０は、操作表示部１６０に表示する各オブジェクトについて、メモリー１８２に保存されている操作種別情報を読み出す。また、制御部２４０は、操作表示部２２０に表示する各オブジェクトについて、メモリー２４２に保存されている操作種別情報を読み出し、通信部２１０を通じてＭＦＰ１００に送信する。制御部１８０は、通信部１４０を通じて、操作表示部２２０に表示する各オブジェクトの操作種別情報を受信する。
【００９０】
次に、ＭＦＰ１００および携帯端末２００Ａの画面表示を制御する（ステップＳ１０６）。制御部１８０は、連携状態にあるＭＦＰ１００および携帯端末２００Ａについて、荷重基準を比較した比較結果と、取得された操作種別とに応じて、ＭＦＰ１００および携帯端末２００Ａの画面表示を制御する。画面表示を制御する処理の詳細については後述する。
【００９１】
このように、図６Ａに示すフローチャートの処理では、制御部１８０は、ＭＦＰ１００および携帯端末２００Ａの荷重基準を取得し、ＭＦＰ１００および携帯端末２００Ａの画面に表示される各オブジェクトについて操作種別を取得する。そして、制御部１８０は、ＭＦＰ１００および携帯端末２００Ａについて、荷重基準を比較した比較結果と、取得された上記操作種別とに応じて、ＭＦＰ１００および携帯端末２００Ａの画面表示を制御する。
【００９２】
＜連携状態を確立する処理（ステップＳ１０１）＞
次に、図６Ｂを参照して、連携状態を確立する処理について説明する。図６Ｂに示すように、まず、ＭＦＰ１００と携帯端末２００Ａとが通信状態であるか否かを判断する（ステップＳ２０１）。制御部１８０は、通信部１４０に対して、ＭＦＰ１００と携帯端末２００Ａとが通信状態であるか否かを問い合わせる。ＭＦＰ１００と携帯端末２００Ａとが通信状態でなない場合（ステップＳ２０１：ＮＯ）、制御部１８０は、ＭＦＰ１００と携帯端末２００Ａとが通信状態となるまで待機する。
【００９３】
一方、ＭＦＰ１００と携帯端末２００Ａとが通信状態である場合（ステップＳ２０１：ＹＥＳ）、連携状態の判定条件を取得する（ステップＳ２０２）。制御部１８０は、連携状態の判定条件をメモリー１８２のフラッシュＲＯＭから読み出して取得する。
【００９４】
次に、ＭＦＰ１００と携帯端末２００Ａとが連携状態であるか否かを判断する（ステップＳ２０２）。制御部１８０は、連携状態の判定条件に基づいて、ＭＦＰ１００と携帯端末２００Ａとが連携状態であるか否かを判断する（ステップＳ２０３）。ＭＦＰ１００と携帯端末２００Ａとが連携状態ではない場合（ステップＳ２０３：ＮＯ）、制御部１８０は、ステップＳ２０１の処理に移行する。一方、ＭＦＰ１００と携帯端末２００Ａとが連携状態である場合（ステップＳ２０３：ＹＥＳ）、制御部１８０は、連携状態を確立する処理を終了し、図６ＡのステップＳ１０２の処理に移行する（リターン）。
【００９５】
＜荷重基準を取得する処理（ステップＳ１０２）＞
次に、図６Ｃを参照して、荷重基準を取得する処理について説明する。図６Ｃに示すように、まず、ＭＦＰ１００の荷重基準を取得する（ステップＳ３０１）。制御部１８０は、操作表示部１６０のタッチパネルの荷重基準Ｎ１をメモリー１８２のフラッシュＲＯＭから読み出して取得する。
【００９６】
次に、携帯端末２００Ａの荷重基準を問い合わせる（ステップＳ３０２）。より具体的には、制御部１８０は、通信部１４０に対して、携帯端末２００Ａの操作表示部２２０のタッチパネルの荷重基準Ｎ２の情報を制御部２４０に問い合わせるように指示する。そして、通信部１４０は、制御部２４０に対して、荷重基準Ｎ２の情報を問い合わせる。なお、荷重基準Ｎ２の情報の問い合わせを受信してから、荷重基準Ｎ２の情報を送信するまでの携帯端末２００Ａ側における処理については後述する。
【００９７】
次に、携帯端末２００Ａの荷重基準Ｎ２を受信したか否かを判断する（ステップＳ３０３）。携帯端末２００Ａの荷重基準Ｎ２を受信していない場合（ステップＳ３０３：ＮＯ）、制御部１８０は、荷重基準Ｎ２を受信するまで待機する。
【００９８】
一方、携帯端末２００Ａの荷重基準Ｎ２を受信した場合（ステップＳ３０３：ＹＥＳ）、制御部１８０は、荷重基準を取得する処理を終了し、図６ＡのステップＳ１０３の処理に移行する（リターン）。
【００９９】
＜画面表示を制御する処理（ステップＳ１０６）＞
次に、図６Ｄを参照して、画面表示を制御する処理について説明する。図６Ｄに示すように、まず、荷重基準の高い装置が、移動操作が可能な（必要な）オブジェクトを表示しているか否かを判断する（ステップＳ４０１）。操作表示部１６０の荷重基準Ｎ１が操作表示部２２０の荷重基準Ｎ２よりも高い場合、制御部１８０は、操作表示部１６０が移動操作が可能なオブジェクトを表示しているか否かを判断する。より具体的には、制御部１８０は、メモリー１８２から、操作表示部１６０が表示している各オブジェクトの操作種別を読み出し、移動操作可能なオブジェクトが含まれているか否かを確認する。
【０１００】
一方、荷重基準Ｎ１が荷重基準Ｎ２よりも低い場合、制御部１８０は、操作表示部２２０が移動操作可能なオブジェクトを表示しているか否かを判断する。より具体的には、制御部２４０は、メモリー２４２から、操作表示部２２０が表示している各オブジェクトの操作種別を読み出し、移動操作可能なオブジェクトが含まれているか否かを確認する。
【０１０１】
荷重基準の高い装置が、移動操作可能な表示内容を表示していない場合（ステップＳ４０１：ＮＯ）、制御部１８０は、画面表示を制御する処理を終了する（リターン）。
【０１０２】
一方、荷重基準の高い装置が、移動操作可能なオブジェクトを表示している場合（ステップＳ４０１：ＹＥＳ）、荷重基準の低い装置が、移動操作可能なオブジェクトを表示しているか否かを判断する（ステップＳ４０２）。荷重基準Ｎ１が荷重基準Ｎ２よりも高い場合、制御部１８０は、操作表示部２２０が移動操作可能なオブジェクトを表示しているか否かを判断する。一方、荷重基準Ｎ１が荷重基準Ｎ２よりも低い場合、制御部１８０は、操作表示部１６０が移動操作可能なオブジェクトを表示しているか否かを判断する。
【０１０３】
荷重基準の低い装置が、移動操作が可能なオブジェクトを表示していない場合（ステップＳ４０２：ＮＯ）、荷重基準の高い装置と低い装置の表示内容を入れ替える（ステップＳ４０３）。制御部１８０は、荷重基準の高い装置に表示されている表示内容と、荷重基準の低い装置に表示されている表示内容を入れ替える。なお、本実施形態において、表示内容とは、ボタンやアイコン、画像、表示領域全体（操作表示部１６０，２２０の画面に対応）および表示領域の一部を含む。ユーザーは、表示内容を入れ替える単位として、（１）表示領域全体、（２）表示領域の一部、（３）オブジェクトのいずれかを設定により選択できる。表示内容の入れ替えの詳細については後述する。
【０１０４】
一方、荷重基準の低い装置が、移動操作が可能なオブジェクトを表示している場合（ステップＳ４０２：ＹＥＳ）、荷重基準の低い装置の表示画面に所定面積以上の空き領域があるか否かを判断する（ステップＳ４０４）。上記空き領域は、荷重基準の低い装置の表示領域全体から、移動操作可能なオブジェクトが表示されている領域を除いた領域である。荷重基準の低い装置の表示画面に所定面積以上の空き領域がない場合（ステップＳ４０４：ＮＯ）、制御部１８０は、画面表示を制御する処理を終了する（リターン）。
【０１０５】
一方、荷重基準の低い装置の表示画面に所定面積以上の空き領域がある場合（ステップＳ４０４：ＹＥＳ）、荷重基準の高い装置と低い装置の表示内容を入れ替える（ステップＳ４０５）。制御部１８０は、荷重基準の高い装置に表示されている表示内容と、荷重基準の低い装置に表示されている表示内容を入れ替える。より具体的には、制御部１８０は、荷重基準の高い装置に表示されている移動操作可能な表示内容のうち、上記空き領域に収まる分だけ、荷重基準の低い装置に表示されている表示内容を入れ替える。
【０１０６】
＜携帯端末側の処理手順＞
図７は、一実施形態における操作表示方法の携帯端末側の処理手順の一例を説明するためのフローチャートである。以下で説明するように、携帯端末２００Ａ側では、ＭＦＰ１００からの問合せに応じて、携帯端末２００Ａの荷重基準Ｎ２を取得し、ＭＦＰ１００に送信する。
【０１０７】
図７に示すように、まず、携帯端末２００Ａの荷重基準Ｎ２について、ＭＦＰ１００から問合せを受信したか否かを判断する（ステップＳ５０１）。携帯端末２００Ａの荷重基準Ｎ２について、ＭＦＰ１００から問合せを受信していない場合（ステップＳ５０１：ＮＯ）、制御部２４０は、携帯端末２００Ａの荷重基準Ｎ２について、ＭＦＰ１００から問合せを受信するまで待機する。
【０１０８】
一方、携帯端末２００Ａの荷重基準Ｎ２について、ＭＦＰ１００から問合せを受信した場合（ステップＳ５０１：ＹＥＳ）、制御部２４０は、携帯端末２００Ａの荷重基準Ｎ２を取得する（ステップＳ５０２）。制御部２４０は、メモリー２４２のフラッシュＲＯＭから荷重基準Ｎ２を読み出して取得する。
【０１０９】
次に、携帯端末２００Ａの荷重基準Ｎ２をＭＦＰ１００へ送信する（ステップＳ５０３）。制御部２４０は、通信部２１０を通じて、携帯端末２００Ａの荷重基準Ｎ２をＭＦＰ１００へ送信し、処理を終了する（エンド）。
【０１１０】
＜表示内容の入れ替え＞
次に、図８〜図１０を参照して、本実施形態における操作表示装置間の表示内容の入れ替えについて説明する。図８はＭＦＰ１００と携帯端末２００Ａとの間において、表示領域全体を入れ替える場合について例示する模式図であり、図９はＭＦＰ１００と携帯端末２００Ａとの間において、表示領域の一部を入れ替える場合について例示する模式図である。また、図１０は、ＭＦＰ１００と携帯端末２００Ａとの間において、オブジェクトを入れ替える場合について例示する模式図である。なお、図８〜図１０では、ＭＦＰ１００の荷重基準Ｎ１が携帯端末２００Ａの荷重基準Ｎ２よりも高い場合を例示している。
【０１１１】
（Ａ）表示領域全体の入れ替え
まず、図８を参照して、ＭＦＰ１００と携帯端末２００Ａとの間において、表示領域全体を入れ替える場合について説明する。
【０１１２】
表示内容の入れ替え前において、荷重基準の低い携帯端末２００Ａには、操作オブジェクト「機能Ａ」〜「機能Ｆ」が表示されている。これらの操作オブジェクト「機能Ａ」〜「機能Ｆ」は、タッチ操作可能ではない操作オブジェクトであり、荷重基準の高いＭＦＰ１００で操作（たとえば、タップ操作）しても、荷重基準の低い携帯端末２００Ａで操作しても操作性はそれほど変わらない。
【０１１３】
また、ＭＦＰ１００には、移動操作可能なオブジェクト「多角形の画像」が２つ表示されている。これらの移動操作可能なオブジェクトは、荷重基準の高いＭＦＰ１００では、移動操作しにくい。
【０１１４】
これに対して、ＭＦＰ１００と携帯端末２００Ａの表示領域全体を入れ替えた後では、上記移動操作可能なオブジェクト「多角形の画像」は、荷重基準の低い携帯端末２００Ａに表示される。また、上記操作オブジェクト「機能Ａ」〜「機能Ｆ」は、荷重基準の高いＭＦＰ１００に表示される。
【０１１５】
したがって、ユーザーは、上記「多角形の画像」を荷重基準の低い携帯端末２００Ａで移動操作できるので、荷重基準の高いＭＦＰ１００で移動操作するよりも操作性が向上する。また、上記「機能Ａ」〜「機能Ｆ」については、荷重基準の高いＭＦＰ１００で操作しても、荷重基準の低い携帯端末２００Ａで操作しても操作性に大きな変化はないので、操作性はほとんど低下しない。このように、移動操作可能な２つの「多角形の画像」が荷重基準の低い携帯端末２００Ａに表示され、移動操作可能ではない「機能Ａ」〜「機能Ｆ」がＭＦＰ１００に表示されるので、荷重基準の差異に起因する操作性の低下を抑制できる。
【０１１６】
（Ｂ）表示領域の一部の入れ替え
次に、図９を参照して、ＭＦＰ１００と携帯端末２００Ａとの間において、表示領域の一部を入れ替える場合について説明する。
【０１１７】
表示内容の入れ替え前において、携帯端末２００Ａには、移動操作可能なオブジェクトを含まない表示領域１と、移動操作可能なオブジェクトを含む表示領域２とが表示されている。また、ＭＦＰ１００には、移動操作可能なオブジェクトを含む表示領域３と、移動操作可能なオブジェクトを含まない表示領域４とが表示されている。
【０１１８】
これに対して、携帯端末２００Ａの表示領域１とＭＦＰ１００の表示領域３とを入れ替えて、表示する順番を並び変えた後では、表示領域２，３は携帯端末２００Ａに表示され、表示領域１，４はＭＦＰ１００に表示される。
【０１１９】
したがって、移動操作可能なオブジェクトを含む表示領域２，３が荷重基準の低い携帯端末２００Ａに表示され、移動操作可能なオブジェクトを含まない表示領域１，４が荷重基準の高いＭＦＰ１００に表示されるので、荷重基準の差異に起因する操作性の低下を抑制できる。
【０１２０】
（Ｃ）オブジェクトの入れ替え
次に、図１０を参照して、ＭＦＰ１００と携帯端末２００Ａとの間において、オブジェクトを入れ替える場合について説明する。
【０１２１】
表示内容の入れ替え前において、携帯端末２００Ａには、操作オブジェクト「機能１」および「機能２」が表示されている。これらの操作オブジェクト「機能１」および「機能２」は、移動操作可能ではない操作オブジェクトであり、荷重基準の高いＭＦＰ１００で操作（たとえば、タップ操作）しても、荷重基準の低い携帯端末２００Ａで操作しても操作性はそれほど変わらない。また、ＭＦＰ１００には、移動操作可能ではない操作オブジェクト「機能Ａ」〜「機能Ｄ」と、移動操作可能なオブジェクト「多角形の画像」が表示されている。
【０１２２】
これに対して、携帯端末２００Ａの「機能１」および「機能２」とＭＦＰ１００の「多角形の画像」を入れ替え、表示する順番を並び変えた後は、２つの「多角形の画像」は、携帯端末２００Ａに表示される。また、「機能１」、「機能２」、「機能Ａ」〜「機能Ｄ」は、ＭＦＰ１００に表示される。
【０１２３】
したがって、移動操作可能な２つの「多角形の画像」が荷重基準の低い携帯端末２００Ａに表示され、移動操作可能ではない「機能１」、「機能２」、「機能Ａ」〜「機能Ｄ」が荷重基準の高いＭＦＰ１００に表示される。したがって、荷重基準の差異に起因する操作性の低下を抑制できる。
【０１２４】
以上のとおり、図６Ａ〜図６Ｄ、図７〜図１０を参照して、本実施形態の操作表示方法の処理手順の一例を説明した。上記操作表示方法では、ＭＦＰ１００と携帯端末２００Ａとが連携状態において、制御部１８０は、荷重基準Ｎ１，Ｎ２を取得し、比較する。また、制御部１８０は、ＭＦＰ１００および携帯端末２００Ａの画面に表示される各々のオブジェクトについて操作種別を取得し、荷重基準の比較結果と、上記操作種別とに応じて、ＭＦＰ１００および携帯端末２００Ａの画面表示を制御する。より具体的には、制御部１８０は、上記比較結果と、上記操作種別とに応じて、ＭＦＰ１００および携帯端末２００Ａのうちのどちらに移動操作可能なオブジェクトを表示させるかを制御する。また、制御部１８０は、ＭＦＰ１００および携帯端末２００Ａのうち、荷重基準がより低い操作表示装置に移動操作可能なオブジェクトを優先的に表示させるように制御する。
【０１２５】
以上説明した本実施形態の操作表示システム、操作表示装置および操作表示プログラムは下記の効果を奏する。
【０１２６】
（ａ）本実施形態によれば、連携状態にあるＭＦＰ１００および携帯端末２００Ａについて、荷重基準の比較結果と、表示されているオブジェクトの操作種別とに応じて画面表示を制御するので、荷重基準の差異に起因するタッチパネルの操作性の低下を抑制できる。
【０１２７】
（ｂ）制御部１８０は、荷重基準Ｎ１およびＮ２の比較結果と、各々のオブジェクトについてのタッチパネルの操作に関する種別とに応じて、操作表示部１６０および操作表示部２２０のうちのどちらにオブジェクトを表示させるかを制御する。したがって、各々のオブジェクトについてタッチパネルの操作がしやすいか、あるいは、しにくいかに応じて、操作表示部１６０および操作表示部２２０のうちの適切な操作表示装置に上記各々のオブジェクトを表示させることができる。
【０１２８】
（ｃ）制御部１８０は、オブジェクトが移動操作可能であるか否かに応じて、操作表示部１６０および操作表示部２２０のうちのどちらにオブジェクトを表示させるかを制御する。したがって、オブジェクトが移動操作可能であるか否かに応じて、操作表示部１６０および操作表示部２２０のうちの適切な操作表示装置に上記オブジェクトを表示させることができる。
【０１２９】
（ｄ）制御部１８０は、操作表示部１６０および操作表示部２２０のうち、荷重基準がより低い操作表示装置に移動操作可能なオブジェクトを優先的に表示させるように制御する。したがって、移動操作可能ではないオブジェクトを荷重基準の高い操作表示装置に表示させ、移動操作可能なオブジェクトを荷重基準の低い操作表示装置に表示させることができる。
【０１３０】
（ｅ）制御部１８０は、操作表示部１６０の荷重基準Ｎ１と操作表示部２２０の荷重基準Ｎ２とが異なる場合、操作表示部１６０と操作表示部２２０との間において、移動操作可能なオブジェクトを含む表示領域と移動操作可能なオブジェクトを含まない表示領域とを入れ替える。したがって、表示領域が移動操作可能なオブジェクトを含むか否かに応じて、操作表示部１６０および操作表示部２２０のうちの適切な操作表示装置に上記表示領域を表示させることができる。
【０１３１】
（ｆ）制御部１８０は、操作表示部１６０の荷重基準Ｎ１と操作表示部２２０の荷重基準Ｎ２とが異なる場合、操作表示部１６０と操作表示部２２０との間において、移動操作可能なオブジェクトと移動操作可能ではないオブジェクトとを入れ替える。したがって、オブジェクトが移動操作可能であるか否かに応じて、操作表示部１６０および操作表示部２２０のうちの適切な操作表示装置に上記オブジェクトを表示させることができる。
【０１３２】
（ｇ）移動操作は、フリック操作、ドラッグ操作、スワイプ操作、ローテーション操作、ピンチイン操作およびピンチアウト操作のうちの少なくともいずれかである。したがって、フリック操作、ドラッグ操作、スワイプ操作、ローテーション操作、ピンチイン操作、およびピンチアウト操作のうち少なくともいずれかが可能なオブジェクトと、フリック操作、スワイプ操作、ローテーション操作、ピンチイン操作、およびピンチアウト操作のいずれも可能ではないオブジェクトとを、入れ替えて表示することが可能となる。また、フリック操作、スワイプ操作、ローテーション操作、ピンチイン操作、およびピンチアウト操作のうち少なくともいずれかが可能なオブジェクトを含む表示領域と、フリック操作、スワイプ操作、ローテーション操作、ピンチイン操作、およびピンチアウト操作の少なくともいずれかが可能なオブジェクトを含まない表示領域とを、入れ替えて表示することが可能となる。
【０１３３】
本発明は、上述した実施形態のみに限定されるものではなく、特許請求の範囲内において、種々改変することができる。たとえば、上述の実施形態では、ＭＦＰと携帯端末とが協働して操作表示方法を実現し、ＭＦＰと携帯端末との関係においてＭＦＰが主導的な役割を果たす場合について説明した。しかしながら、本発明はこのような場合に限定されず、たとえばサーバー、ＭＦＰおよび携帯端末が協働して操作表示方法を実現し、サーバー、ＭＦＰおよび携帯端末の間の関係においてサーバーが主導的な役割を果たすように構成してもよい。すなわち、サーバーが荷重基準および操作種別を取得し、荷重基準の比較結果および操作種別に応じてＭＦＰおよび携帯端末の画面表示を制御する機能を有するように構成してもよい。
【０１３４】
また、上述の実施形態では、静電容量式と抵抗膜式のタッチパネルの間において荷重基準に差異がある場合について説明した。しかしながら、本発明はこのような場合に限定されず、静電容量式同士、抵抗膜式同士、またはその他の方式同士で荷重基準に差異がある場合についても適用できる。
【０１３５】
また、上述の実施形態では、静電容量式の方が抵抗膜式に比べて操作がしやすい場合を例に挙げて説明した。しかしながら、周囲の環境やタッチパネルの使用条件によっては抵抗膜式の方が操作しやすい場合もありうる。たとえば、ユーザーが手袋をして操作する場合やユーザーが乾燥している指で操作する場合は、静電容量式よりも抵抗膜式のタッチパネルを備える操作表示装置に移動操作可能なオブジェクトを優先的に表示させることもありうる。
【符号の説明】
【０１３６】
Ｐ，Ｐ’  操作表示プログラム、
１００  画像形成装置（ＭＦＰ）、
１１０  画像読取部、
１２０  画像処理部、
１３０  画像形成部、
１４０  通信部、
１５０  給紙部、
１６０  操作表示部、
１７０  操作部、
１８０  制御部、
１８１  補助記憶装置、
１８２  メモリー、
１８３  ＣＰＵ、
２００Ａ，２００Ｂ，２００Ｃ  携帯端末装置（携帯端末）、
２１０  通信部、
２２０  操作表示部、
２３０  操作部、
２４０  制御部、
２４１  補助記憶装置、
２４２  メモリー、
２４３  ＣＰＵ、
３００  サーバー、
４００  操作表示システム。
【図１】
2017010281.tif 000003
【図２】
2017010281.tif 000004
【図３】
2017010281.tif 000005
【図４】
2017010281.tif 000006
【図５】
2017010281.tif 000007
【図６Ａ】
2017010281.tif 000008
【図６Ｂ】
2017010281.tif 000009
【図６Ｃ】
2017010281.tif 000010
【図６Ｄ】
2017010281.tif 000011
【図７】
2017010281.tif 000012
【図８】
2017010281.tif 000013
【図９】
2017010281.tif 000014
【図１０】
2017010281.tif 000015